(57)【要約】      （修正有）【課題】複数のトイレットの使用状況を１箇所で集中して監視するのに好適な小型で配線が不要なトイレットの集中管理装置を提供する。【解決手段】トイレットドアの開閉信号を無線で送受信する無線信号送受信手段１０と、ＬＥＤ２０と、無線信号により起動するタイマー手段と、複数のタップに電圧を切替供給し同一ＬＥＤに異なる色を発光させる電力供給手段とを備え、タイマー手段の設定時間は複数に分割可能であって、分割した設定時間の経過毎に、同一ＬＥＤの発光を異ならせると共に、最終設定時間の経過後に同一ＬＥＤを点滅させる様にした。【選択図】図２
0003191965.tif 000002
【実用新案登録請求の範囲】
【請求項１】
トイレットドアの開閉信号を無線で送受信する無線信号送受信手段と、表示ランプと、前記無線信号により起動するタイマー手段と、前記表示ランプに複数のタップに電圧を切替供給し同一表示ランプに異なる色を発光させる電力供給手段とを備え、前記タイマー手段の設定時間は複数に分割可能であって、該分割した設定時間の経過毎に、前記同一表示ランプの発光を異ならせると共に、最終設定時間の経過後に前記同一表示ランプをフラッシュさせる様にしたことを特徴とするトイレットの集中管理装置。
【請求項２】
開閉を管理する複数のトイレットドアに対応して表示ランプを複数備え、閉時間を計測中のトイレットドアの表示ランプを発光させる様にしたことを特徴とする請求項１に記載のトイレットの集中管理装置。
【考案の詳細な説明】
【技術分野】
【０００１】  本考案は、複数のトイレットの使用状況を１箇所で集中して監視するのに好適なトイレットの集中管理装置に関する。
【背景技術】
【０００２】  トイレット１のドア４に該ドアの閉鎖動作および開放動作を検出するドアスイッチ６を取り付け、タイマ２２でドアスイッチ６の検出信号に基づいてドア４の閉鎖動作時から開放動作時までの経過時間を計測し、タイマ２２での計測時間が所定の時間経過後にブザー２４と緊急呼出表示ランプ１７とでアラームを発信することにより、トイレット内での事故発生に早期に対処可能とするものとして実用新案登録第３０２３９９３号公報が提案されている。
【先行技術文献】
【特許文献】
【０００３】
【特許文献１】実用新案登録第３０２３９９３号公報
【考案の概要】
【考案が解決しようとする課題】
【０００４】  しかし上記した従来のトイレットの集中管理装置は、タイマーの設定時間を分割し、分割された設定時間の経過毎に同一の表示ランプ（例えば、ＬＥＤ）の呈色を変化させるものでない。さらに、トイレットドアの開閉信号を無線で送受信する構成でもなかった。【０００５】  本考案は、タイマーの設定時間を分割し、分割された設定時間の経過毎に同一の表示ランプ（例えば、ＬＥＤ）の呈色を変化させることを目的とする。また、表示ランプの数を減らすことによりトイレットの集中管理装置を小型化することを目的とする。さらに、トイレットドアの開閉信号を無線で送受信することで配線を不要にすることを目的とする。また、配線を不要にすることでトイレットの集中管理装置の設置工事が不要で費用を低減し、設置場所に制約が無く屋内の外観をスマートにすることを目的とする。
【課題を解決するための手段】
【０００６】  本考案にかかるトイレットの集中管理装置は、トイレットドアの開閉信号を無線で送受信する無線信号送受信手段と、表示ランプと、前記無線信号により起動するタイマー手段と、前記表示ランプに複数のタップに電圧を切替供給し同一表示ランプに異なる色を発光させる電力供給手段とを備え、前記タイマー手段の設定時間は複数に分割可能であって、該分割した設定時間の経過毎に、前記同一表示ランプの発光を異ならせると共に、最終設定時間の経過後に前記同一表示ランプをフラッシュさせる様にしたことを特徴としたもので、これにより表示ランプの数を減らし、トイレットの集中管理装置を小型化できる。また、トイレットドア開閉信号の送受信に係る配線を不要にする。その結果、トイレットの集中管理装置の設置工事費を低減し、設置場所に制約が無く屋内の外観をスマートにできる。【０００７】  さらに、本考案にかかるトイレットの集中管理装置は上記記載において、開閉を管理する複数のトイレットドアに対応して表示ランプを複数備え、閉時間を計測中のトイレットドアの表示ランプを発光させる様にしたことを特徴としたもので、これにより表示ランプの数を減らし、トイレットの集中管理装置を小型化できる。
【考案の効果】
【０００８】  上記構成により本考案のトイレットの集中管理装置は表示ランプの数を減らし、トイレットの集中管理装置を小型化でき、装置価格を低減できる。さらに、ドア開閉信号の送受信に係る配線を不要にする。その結果、トイレットの集中管理装置の設置工事費を低減し、設置場所に制約が無く屋内の外観をスマートにできる。１１
【図面の簡単な説明】
【０００９】
【図１】  本考案の一実施形態におけるトイレットの集中管理装置の一部を切り欠いた要部正面図
【図２】  図１を切断線Ｂ−Ｂで切断した要部断面図
【図３】  図１を切断線Ａ−Ａで切断した要部断面図
【図４】  図１を構成する装置の表示パネルの外観斜視図
【図５】  本考案装置を構成する制御回路のブロック構成図
【図６】  本考案装置を用いトイレットの入退室管理を行う動作説明図
【考案を実施するための形態】
【００１０】  本考案にかかるトイレットの集中管理装置は上述の通りである。トイレットドアの開閉信号はドア開閉ＳＷ（例えば、磁石とリードスイッチからなるスイッチ）と信号中継用ゲートウェイ（ＧＷ）より受信機に通信され制御回路のフォトカプラに送られる。フォトカプラーのオン信号によりマイコンを介してタイマーの設定時間を複数に分割し、該分割した設定時間の経過毎に同一の表示ランプ（ＬＥＤ）の発光色を異ならせると共に、最終設定時間の経過後に前記同一表示ランプをフラッシュさせる構成としている。
【００１１】  例えば、トイレットドアが閉じられた段階ではＬＥＤは緑色に点灯し、タイマーが作動し第一区分の設定時間経過後には前記同一ＬＥＤが緑色から青色に変わり、第二区分の設定時間経過後には前記同一ＬＥＤが青色から赤色に変わり、第三区分の設定時間経過後には前記同一ＬＥＤが赤色から赤色点滅（フラッシュ）に変わる。ＬＥＤの発光色変化は供給電圧を複数のタップの切替で行っている。
【００１２】  本考案装置を構成する回路基板はマイコン、フォトカプラー、タイマーディジタルスイッチ、ＬＥＤ等を搭載した主回路基板と電源基板とで構成している。
トイレットドアの閉状態を表示するＬＥＤはリフレクタを周囲に配設してなる。これによりＬＥＤの発光が効率よくＬＥＤの前面側に達し、透光体からなる表示パネルに印刷した数字を視認可能に照明する。なお、前記印刷した数字数字はトイレット番号を意味している。
【実施例】
【００１３】  以下、本考案の一実施形態におけるトイレットの集中管理装置を図面とともに説明する。
図１は本考案の一実施形態におけるトイレットの集中管理装置の一部を切り欠いた正面図、図２は図１を切断線Ｂ−Ｂで切断した要部断面図、図３は図１を切断線Ａ−Ａで切断した要部断面図、図４は図１を構成する装置の表示パネルの外観斜視図、図５は本考案装置を構成する制御回路のブロック構成図である。【００１４】  本考案のトイレットの集中管理装置１００は、トイレットドアの開状態から閉状態になったことをドア開閉ＳＷにより検知し、該トイレットドアの閉信号を無線で送信する。無線信号受信装置１０がオンするとＬＥＤ２０が緑色に点灯しタイマーが起動する。前記タイマー手段の設定時間は３つに分割されており、該分割した設定時間の経過毎に同一ＬＥＤ２０は緑色→青色→赤色に変化する。そして最終設定時間の経過後に前記同一ＬＥＤ２０の赤色を点滅させる。【００１５】  図１〜図４に示すトイレットの集中管理装置１００は、５箇所のトイレットを管理する実施例を示す。図６は番号１と番号３のトイレットに人が入った（ドアが閉じた）ことを検知し、それぞれ分割したタイマー設定時間毎にＬＥＤの発光が緑色→青色→赤色に変化していく過程の動作を説明するものである。第三区分の設定時間経過後に番号１と番号３のＬＥＤが赤色から赤色点滅（フラッシュ）に変わる。図４はトイレット番号３が点滅している状態を示し、係員がトイレット番号３内の状況を確認することになる。仮に、トイレット番号３内で不測の事態が発生していても適切な対応や緊急処置が可能となる。
【産業上の利用可能性】
【００１６】  本考案装置はトイレットの集中管理に限るものでなく、一般家庭の居室管理、養護施設の居室管理、ホテルなどの業務用居室の管理などに広く応用できるものである。
【符号の説明】
【００１７】１０  無線信号受信機
２０  ＬＥＤ
３０  マイコン
４０  表示パネル
５０  電源基板
６０  主回路基板
７０  リフレクタ
１００  トイレットの集中管理装置
【図１】
0003191965.tif 000003
【図２】
0003191965.tif 000004
【図３】
0003191965.tif 000005
【図４】
0003191965.tif 000006
【図５】
0003191965.tif 000007
【図６】
0003191965.tif 000008